(57)【特許請求の範囲】
【請求項１】
基地局装置と通信を行う端末装置であって、
物理下りリンク制御チャネルと拡張物理下りリンク制御チャネルとをモニタリングする下りリンク制御チャネル検出部と、
前記拡張物理下りリンク制御チャネルをモニタリングするための複数の拡張物理下りリンク制御チャネル領域を示す情報と前記複数の拡張物理下りリンク制御チャネル領域の各々について局所的送信であるか分散的送信であるかを示す情報と前記拡張物理下りリンク制御チャネルをモニタリングするサブフレームを示す情報とを取得する上位層制御情報取得部と、を備え、
前記拡張物理下りリンク制御チャネル領域は、複数のリソースブロックペアから構成され、
前記複数のリソースブロックペアの各々は、複数の第１のリソースエレメントの集合を含み、
論理的なリソースである拡張物理下りリンク制御チャネル要素は、Ｋ（Ｋは１より大きい所定の自然数）個の前記第１のリソースエレメントの集合にマッピングされ、
前記拡張物理下りリンク制御チャネルは１つ以上の前記拡張物理下りリンク制御チャネル要素を用いて送信され、
Ｋ個の局所的送信における前記拡張物理下りリンク制御チャネル要素がマッピングされる物理的なリソースは、Ｋ個の分散的送信における前記拡張物理下りリンク制御チャネル要素がマッピングされる物理的なリソースと一致する、端末装置。
【請求項２】
１つの前記局所的送信における拡張物理下りリンク制御チャネル要素は、少なくとも２つの前記分散的送信における拡張物理下りリンク制御チャネル要素に含まれる複数の前記第１のリソースエレメントの集合に対応する請求項１に記載の端末装置。
【請求項３】
前記上位層制御情報取得部は、２つの前記拡張物理下りリンク制御チャネル領域を示す情報を取得する請求項１に記載の端末装置。
【請求項４】
１つの前記局所的送信における拡張物理下りリンク制御チャネル要素がマッピングされる前記Ｋ個の第１のリソースエレメントの集合は、一つのリソースブロックペアに含まれることを特徴とする請求項１に記載の端末装置。
【請求項５】
端末装置と通信を行う基地局装置であって、
物理下りリンク制御チャネルと拡張物理下りリンク制御チャネルとを送信する下りリンク制御チャネル送信部と、
前記端末装置が前記拡張物理下りリンク制御チャネルをモニタリングするための複数の拡張物理下りリンク制御チャネル領域を示す情報と前記複数の拡張物理下りリンク制御チャネル領域の各々について局所的送信であるか分散的送信であるかを示す情報と前記拡張物理下りリンク制御チャネルをモニタリングするサブフレームを示す情報とを通知する上位層制御情報通知部と、を備え、
前記拡張物理下りリンク制御チャネル領域は、複数のリソースブロックペアから構成され、
前記複数のリソースブロックペアの各々は、複数の第１のリソースエレメントの集合を含み、
論理的なリソースである拡張物理下りリンク制御チャネル要素は、Ｋ（Ｋは１より大きい所定の自然数）個の前記第１のリソースエレメントの集合にマッピングされ、
前記拡張物理下りリンク制御チャネルは１つ以上の前記拡張物理下りリンク制御チャネル要素を用いて送信され、
Ｋ個の局所的送信における前記拡張物理下りリンク制御チャネル要素がマッピングされる物理的なリソースは、Ｋ個の分散的送信における前記拡張物理下りリンク制御チャネル要素がマッピングされる物理的なリソースと一致する、基地局装置。
【請求項６】
１つの前記局所的送信における拡張物理下りリンク制御チャネル要素は、少なくとも２つの前記分散的送信における拡張物理下りリンク制御チャネル要素に含まれる複数の前記第１のリソースエレメントの集合に対応する請求項５に記載の基地局装置。
【請求項７】
前記上位層制御情報通知部は、２つの前記拡張物理下りリンク制御チャネル領域を示す情報を通知する請求項５に記載の基地局装置。
【請求項８】
１つの前記局所的送信における拡張物理下りリンク制御チャネル要素がマッピングされる前記Ｋ個の第１のリソースエレメントの集合は、一つのリソースブロックペアに含まれることを特徴とする請求項５に記載の基地局装置。
【請求項９】
基地局装置と通信を行う端末装置における通信方法であって、
物理下りリンク制御チャネルと拡張物理下りリンク制御チャネルとをモニタリングするステップと、
前記拡張物理下りリンク制御チャネルをモニタリングするための複数の拡張物理下りリンク制御チャネル領域を示す情報と前記複数の拡張物理下りリンク制御チャネル領域の各々について局所的送信であるか分散的送信であるかを示す情報と前記拡張物理下りリンク制御チャネルをモニタリングするサブフレームを示す情報とを取得するステップと、を含み、
前記拡張物理下りリンク制御チャネル領域は、複数のリソースブロックペアから構成され、
前記複数のリソースブロックペアの各々は、複数の第１のリソースエレメントの集合を含み、
論理的なリソースである拡張物理下りリンク制御チャネル要素は、Ｋ（Ｋは１より大きい所定の自然数）個の前記第１のリソースエレメントの集合にマッピングされ、
前記拡張物理下りリンク制御チャネルは１つ以上の前記拡張物理下りリンク制御チャネル要素を用いて送信され、
Ｋ個の局所的送信における前記拡張物理下りリンク制御チャネル要素がマッピングされる物理的なリソースは、Ｋ個の分散的送信における前記拡張物理下りリンク制御チャネル要素がマッピングされる物理的なリソースと一致する、通信方法。
【請求項１０】
端末装置と通信を行う基地局装置における通信方法であって、
物理下りリンク制御チャネルと拡張物理下りリンク制御チャネルとを送信するステップと、
前記端末装置が前記拡張物理下りリンク制御チャネルをモニタリングするための複数の拡張物理下りリンク制御チャネル領域を示す情報と前記複数の拡張物理下りリンク制御チャネル領域の各々について局所的送信であるか分散的送信であるかを示す情報と前記拡張物理下りリンク制御チャネルをモニタリングするサブフレームを示す情報とを通知するステップと、を含み、
前記拡張物理下りリンク制御チャネル領域は、複数のリソースブロックペアから構成され、
前記複数のリソースブロックペアの各々は、複数の第１のリソースエレメントの集合を含み、
論理的なリソースである拡張物理下りリンク制御チャネル要素は、Ｋ（Ｋは１より大きい所定の自然数）個の前記第１のリソースエレメントの集合にマッピングされ、
前記拡張物理下りリンク制御チャネルは１つ以上の前記拡張物理下りリンク制御チャネル要素を用いて送信され、
Ｋ個の局所的送信における前記拡張物理下りリンク制御チャネル要素がマッピングされる物理的なリソースは、Ｋ個の分散的送信における前記拡張物理下りリンク制御チャネル要素がマッピングされる物理的なリソースと一致する、通信方法。
【請求項１１】
基地局装置と通信を行う端末装置に実装される集積回路であって、
物理下りリンク制御チャネルと拡張物理下りリンク制御チャネルとをモニタリングする機能と、
前記拡張物理下りリンク制御チャネルをモニタリングするための複数の拡張物理下りリンク制御チャネル領域を示す情報と前記複数の拡張物理下りリンク制御チャネル領域が局所的送信であるか分散的送信であるかを示す情報と前記拡張物理下りリンク制御チャネルをモニタリングするサブフレームを示す情報とを取得する機能と、を含む一連の機能を前記端末装置に発揮させ、
前記拡張物理下りリンク制御チャネル領域は、複数のリソースブロックペアから構成され、
前記複数のリソースブロックペアの各々は、複数の第１のリソースエレメントの集合を含み、
論理的なリソースである拡張物理下りリンク制御チャネル要素は、Ｋ（Ｋは１より大きい所定の自然数）個の前記第１のリソースエレメントの集合にマッピングされ、
前記拡張物理下りリンク制御チャネルは１つ以上の前記拡張物理下りリンク制御チャネル要素を用いて送信され、
Ｋ個の局所的送信における前記拡張物理下りリンク制御チャネル要素がマッピングされる物理的なリソースは、Ｋ個の分散的送信における前記拡張物理下りリンク制御チャネル要素がマッピングされる物理的なリソースと一致する、集積回路。
【請求項１２】
端末装置と通信を行う基地局装置に実装される集積回路であって、
物理下りリンク制御チャネルと拡張物理下りリンク制御チャネルとを送信する機能と、
前記端末装置が前記拡張物理下りリンク制御チャネルをモニタリングするための複数の拡張物理下りリンク制御チャネル領域を示す情報と前記複数の拡張物理下りリンク制御チャネル領域の各々について局所的送信であるか分散的送信であるかを示す情報と前記拡張物理下りリンク制御チャネルをモニタリングするサブフレームを示す情報とを通知する機能と、を含む一連の機能を前記基地局装置に発揮させ、
前記拡張物理下りリンク制御チャネル領域は、複数のリソースブロックペアから構成され、
前記複数のリソースブロックペアの各々は、複数の第１のリソースエレメントの集合を含み、
論理的なリソースである拡張物理下りリンク制御チャネル要素は、Ｋ（Ｋは１より大きい所定の自然数）個の前記第１のリソースエレメントの集合にマッピングされ、
前記拡張物理下りリンク制御チャネルは１つ以上の前記拡張物理下りリンク制御チャネル要素を用いて送信され、
Ｋ個の局所的送信における前記拡張物理下りリンク制御チャネル要素がマッピングされる物理的なリソースは、Ｋ個の分散的送信における前記拡張物理下りリンク制御チャネル要素がマッピングされる物理的なリソースと一致する、集積回路。
【発明の詳細な説明】
【技術分野】
【０００１】
本発明は、端末装置、基地局装置、通信方法および集積回路に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  ｅｎｇｉｎｅｅｒｓ）によるＷｉｒｅｌｅｓｓ  ＬＡＮ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは、基地局（基地局装置、下りリンク送信装置、上りリンク受信装置、ｅＮｏｄｅＢ）および端末（端末装置、移動局装置、下りリンク受信装置、上りリンク送信装置、ＵＥ）は、複数の送受信アンテナをそれぞれ備え、ＭＩＭＯ（Ｍｕｌｔｉ  Ｉｎｐｕｔ  Ｍｕｌｔｉ  Ｏｕｔｐｕｔ）技術を用いることにより、データ信号を空間多重し、高速なデータ通信を実現する。また、特に、ＬＴＥおよびＬＴＥ−Ａでは、下りリンクでＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いて高い周波数利用効率を実現するとともに、上りリンクでＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式を用いてピーク電力を抑制している。
【０００３】
図１８は、ＬＴＥの通信システム構成を示す図である。図１８では、基地局１８０１は端末１８０２に、物理下りリンク制御チャネル（ＰＤＣＣＨ：Ｐｙｓｉｃａｌ  Ｄｏｗｎｌｉｎｋ  Ｃｏｎｔｒｏｌ  ＣＨａｎｎｅｌ）１８０３を介して、下りリンク送信データ１８０４に関する制御情報の通知を行う。端末１８０２は、まず制御情報の検出を行い、検出された場合に、検出された制御情報を用いて下りリンク送信データ１８０４を抽出する。この下りリンク送信データは、端末１８０２宛の送信データである場合もあれば、ページングやシステム情報など、複数の端末に共通の送信データである場合もある。（非特許文献１、非特許文献２）。
【先行技術文献】
【非特許文献】
【０００４】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  Ｃｈａｎｎｅｌｓ  ａｎｄ  Ｍｏｄｕｌａｔｉｏｎ  （Ｒｅｌｅａｓｅ  １０）、２０１１年６月、３ＧＰＰ  ＴＳ  ３６．２１１  Ｖ１０．２．０  （２０１１−０６）。
【非特許文献２】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  ｌａｙｅｒ  ｐｒｏｃｅｄｕｒｅｓ  （Ｒｅｌｅａｓｅ  １０）、２０１０年６月、３ＧＰＰ  ＴＳ  ３６．２１３  Ｖ１０．２．０  （２０１１−０６）。
【発明の概要】
【発明が解決しようとする課題】
【０００５】
しかしながら、１つの基地局が収容できる端末の数を増加するために、物理下りリンク制御チャネルだけでなく、拡張された物理下りリンク制御チャネルを用いることが考えられる。そのため、従来の物理上りリンク制御チャネルリソースの指定方法では、基地局が拡張された物理下りリンク制御チャネルで制御情報による各端末宛の送信データあるいは複数の端末に共通の送信データを指定することができず、伝送効率の向上が妨げられる要因となる。
【０００６】
本発明は、上記問題を鑑みてなされたものであり、その目的は、基地局と端末が通信する無線通信システムにおいて、基地局が端末に対する制御情報を、物理下りリンク制御チャネルだけでなく、拡張された物理下りリンク制御チャネルを介して通知する場合においても、効率的に各端末宛の送信データあるいは複数の端末に共通の送信データの指定を行うことができる端末装置、基地局装置、通信方法および集積回路を提供することにある。
【課題を解決するための手段】
【０００７】
（１）この発明は上述した課題を解決するためになされたもので、本発明の一態様による端末は、基地局と通信を行う端末であって、物理下りリンク制御チャネル領域に配置された物理下りリンク制御チャネルをモニタリングする下りリンク制御チャネル検出部と、前記物理下りリンク制御チャネル領域とは異なる複数の拡張物理下りリンク制御チャネル領域を示す上位層制御情報を取得する上位層制御情報取得部とを備え、前記下りリンク制御チャネル検出部は、前記上位層制御情報取得部が前記上位層制御情報を取得した場合、前記物理下りリンク制御チャネル領域に配置された前記物理下りリンク制御チャネルに替えて、前記複数の拡張物理下りリンク制御チャネル領域に配置された拡張物理下りリンク制御チャネルをモニタリングすることを特徴とする。
【０００８】
（２）また、本発明の一態様による端末は上記の端末であって、前記複数の拡張物理下りリンク制御チャネル領域の各々は、前記拡張物理下りリンク制御チャネルが前記複数の拡張物理下りリンク制御チャネル領域内に分散的に配置されるか否かが、互いに独立に設定されることを特徴とする。
【０００９】
（３）また、本発明の一態様による端末は上記の端末であって、前記複数の拡張物理下りリンク制御チャネル領域のうちの少なくとも１つは、前記拡張物理下りリンク制御チャネルが前記複数の拡張物理下りリンク制御チャネル領域内に分散的に配置されることを特徴とする。
【００１０】
（４）また、本発明の一態様による端末は、基地局と通信を行う端末であって、物理下りリンク制御チャネル領域に配置された物理下りリンク制御チャネルをモニタリングする下りリンク制御チャネル検出部と、前記前記物理下りリンク制御チャネル領域とは異なる複数の拡張物理下りリンク制御チャネル領域を示す上位層制御情報を取得する上位層制御情報取得部とを備え、前記下りリンク制御チャネル検出部は、前記上位層制御情報取得部が前記上位層制御情報を取得した場合、前記物理下りリンク制御チャネル領域に配置された前記物理下りリンク制御チャネルに替えて、前記複数の拡張物理下りリンク制御チャネル領域のうち少なくとも１つの領域に配置された拡張物理下りリンク制御チャネルをモニタリングすることを特徴とする。
【００１１】
（５）また、本発明の一態様による端末は上記の端末であって、前記物理下りリンク制御チャネルおよび前記拡張物理下りリンク制御チャネルは報知情報の送信を示すことを特徴とする。
【００１２】
（６）また、本発明の一態様による端末は上記の端末であって、前記報知情報はページング情報であることを特徴とする。
【００１３】
（７）また、本発明の一態様による端末は上記の端末であって、前記報知情報はシステム情報であることを特徴とする。
【００１４】
（８）また、本発明の一態様による端末は上記の端末であって、前記下りリンク制御チャネル検出部は、前記上位層制御情報取得部が前記上位層制御情報を取得した場合、前記物理下りリンク制御チャネル領域に配置された前記物理下りリンク制御チャネルに替えて、前記複数の拡張物理下りリンク制御チャネル領域のうち、前記拡張物理下りリンク制御チャネルが分散的に配置される拡張物理下りリンク制御チャネル領域において、前記拡張物理下りリンク制御チャネルをモニタリングすることを特徴とする。
【００１５】
（９）また、本発明の一態様による基地局は、端末と通信を行う基地局であって、物理下りリンク制御チャネル領域に配置された物理下りリンク制御チャネルを送信する下りリンク制御チャネル送信部と、前記物理下りリンク制御チャネル領域とは異なる複数の拡張物理下りリンク制御チャネル領域を示す上位層制御情報を前記端末に通知する上位層制御情報通知部とを備え、前記下りリンク制御チャネル送信部は、前記上位層制御情報通知部が前記上位層制御情報を通知した場合、前記複数の拡張物理下りリンク制御チャネル領域のうち少なくとも１つの領域に配置された拡張物理下りリンク制御チャネルを送信することを特徴とする。
【００１６】
（１０）また、本発明の一態様による基地局は、端末と通信を行う基地局であって、物理下りリンク制御チャネル領域に配置された物理下りリンク制御チャネルを送信する下りリンク制御チャネル送信部と、前記物理下りリンク制御チャネル領域とは異なる複数の拡張物理下りリンク制御チャネル領域を示す上位層制御情報を前記端末に通知する上位層制御情報通知部とを備え、前記下りリンク制御チャネル送信部は、前記上位層制御情報通知部が前記上位層制御情報を通知した場合、前記物理下りリンク制御チャネルと前記複数の拡張物理下りリンク制御チャネル領域のうち少なくとも１つの領域に配置された拡張物理下りリンク制御チャネルとを送信することを特徴とする。
【００１７】
（１１）また、本発明の一態様による基地局は上記の基地局であって、前記物理下りリンク制御チャネルおよび前記拡張物理下りリンク制御チャネルは報知情報の送信を示すことを特徴とする。
【００１８】
（１２）また、本発明の一態様による通信システムは、基地局と端末との間で通信を行う通信システムであって、前記基地局は、物理下りリンク制御チャネル領域に配置された物理下りリンク制御チャネルを送信する下りリンク制御チャネル送信部と、前記物理下りリンク制御チャネル領域とは異なる複数の拡張物理下りリンク制御チャネル領域を示す上位層制御情報を前記端末に通知する上位層制御情報通知部とを備え、前記下りリンク制御チャネル送信部は、前記上位層制御情報通知部が前記上位層制御情報を通知した場合、前記複数の拡張物理下りリンク制御チャネル領域のうち少なくとも１つの領域に配置された拡張物理下りリンク制御チャネルを送信し、前記端末は、前記物理下りリンク制御チャネルをモニタリングする下りリンク制御チャネル検出部と、前記上位層制御情報を取得する上位層制御情報取得部とを備え、前記下りリンク制御チャネル検出部は、前記上位層制御情報取得部が前記上位層制御情報を取得した場合、前記物理下りリンク制御チャネル領域に配置された前記物理下りリンク制御チャネルに替えて、前記複数の拡張物理下りリンク制御チャネル領域のうち少なくとも１つの領域に配置された前記拡張物理下りリンク制御チャネルをモニタリングすることを特徴とする。
【００１９】
（１３）また、本発明の一態様による通信方法は、基地局と通信を行う端末における通信方法であって、物理下りリンク制御チャネル領域に配置された物理下りリンク制御チャネルをモニタリングするステップと、前記前記物理下りリンク制御チャネル領域とは異なる複数の拡張物理下りリンク制御チャネル領域を示す上位層制御情報を取得するステップと、前記上位層制御情報を取得した場合、前記物理下りリンク制御チャネル領域に配置された前記物理下りリンク制御チャネルに替えて、前記複数の拡張物理下りリンク制御チャネル領域のうち少なくとも１つの領域に配置された拡張物理下りリンク制御チャネルをモニタリングするステップとを備えることを特徴とする。
【００２０】
（１４）また、本発明の一態様による通信方法は、端末と通信を行う基地局における通信方法であって、物理下りリンク制御チャネル領域に配置された物理下りリンク制御チャネルを送信するステップと、前記物理下りリンク制御チャネル領域とは異なる複数の拡張物理下りリンク制御チャネル領域を示す上位層制御情報を前記端末に通知するステップと、前記上位層制御情報を通知した場合、前記複数の拡張物理下りリンク制御チャネル領域のうち少なくとも１つの領域に配置された拡張物理下りリンク制御チャネルを送信するステップとを備えることを特徴とする。
【発明の効果】
【００２１】
この発明によれば、基地局と端末が通信する無線通信システムにおいて、基地局が端末に対する制御情報を、物理下りリンク制御チャネルだけでなく、拡張された物理下りリンク制御チャネルを介して通知する場合においても、効率的に物理上りリンク制御チャネルリソースの指定することができる。
【図面の簡単な説明】
【００２２】
【図１】本発明の第１の実施形態に係る通信システム構成例を示す図である。
【図２】同実施形態に係る下りリンクの無線フレーム構成の一例を示す図である。
【図３】同実施形態に係る上りリンクの無線フレーム構成の一例を示す図である。
【図４】同実施形態に係る基地局のブロック構成の一例を示す概略図である。
【図５】同実施形態に係る端末のブロック構成の一例を示す概略図である。
【図６】同実施形態に係るＰＤＣＣＨ領域、およびＰＤＳＣＨ領域を示す図である。
【図７】同実施形態に係るＥ−ＰＤＣＣＨ領域、およびＰＤＳＣＨ領域における物理リソースブロックＰＲＢとＥ−ＰＤＣＣＨ論理リソース要素とを示す図である。
【図８】同実施形態に係るＥ−ＰＤＣＣＨ論理リソースのアグリゲーションの一例を示す図である。
【図９】同実施形態にＥ−ＰＤＣＣＨ領域およびＰＤＳＣＨ領域におけるＰＲＢとＥ−ＰＤＣＣＨ論理リソース要素とのマッピングの一例を示す図である。
【図１０】同実施形態に係るＥ−ＰＤＣＣＨ領域およびＰＤＳＣＨ領域におけるＰＲＢとＥ−ＰＤＣＣＨ論理リソース要素とのマッピングの他の一例を示す図である。
【図１１】同実施形態に係るＥ−ＰＤＣＣＨ領域およびＰＤＳＣＨ領域におけるＰＲＢとＥ−ＰＤＣＣＨ論理リソース要素とのマッピングの他の一例を示す図である。
【図１２】同実施形態に係るＲＥとＥ−ＰＤＣＣＨ論理リソース要素とのマッピングの一例を示す図である。
【図１３】同実施形態に係るＲＥとＥ−ＰＤＣＣＨ論理リソース要素とのマッピングの他の一例を示す図である。
【図１４】同実施形態に係るＲＥとＥ−ＰＤＣＣＨ論理リソース要素とのマッピングの他の一例を示す図である。
【図１５】同実施形態に係る基地局と端末との間の下りリンクデータ送信の流れを示す図である。
【図１６】同実施形態に係る端末における動作を示すフローチャートである。
【図１７】本発明の第２の実施形態に係る基地局と端末との間の下りリンクデータ送信の流れを示す図である。
【図１８】通信システム構成例を示す図である。
【発明を実施するための形態】
【００２３】
（第１の実施形態）
以下、本発明の第１の実施形態について説明する。本第１の実施形態における通信システムは、基地局（基地局装置、下りリンク送信装置、上りリンク受信装置、ｅＮｏｄｅＢ）および端末（端末装置、移動局装置、下りリンク受信装置、上りリンク送信装置、ＵＥ）を備える。
【００２４】
図１は、第１の実施形態に係る通信システム構成例を示す図である。図１では、基地局１０１は端末１０２に、ＰＤＣＣＨおよび／または拡張された物理下りリンク制御チャネル（Ｅ−ＰＤＣＣＨ：Ｅｎｈａｎｃｅｄ−ＰＤＣＣＨ）１０３を介して、下りリンク送信データ１０４に関する制御情報の通知を行う。端末１０２は、まず制御情報の検出を行い、検出された場合に、検出された制御情報を用いて下りリンク送信データ１０４を抽出する。この下りリンク送信データは、端末１０２宛の送信データ（ｄｅｄｉｃａｔｅｄ  ｉｎｆｏｒｍａｔｉｏｎ）である場合もあれば、ページングやシステム情報など、複数の端末に共通の送信データ（ｂｒｏａｄｃａｓｔ  ｉｎｆｏｒｍａｔｉｏｎ）である場合もある。
【００２５】
送信データを示す制御チャネルは、予め基地局１０１により指定される識別子であるＲＮＴＩ（Ｒａｄｉｏ  Ｎｅｔｗｏｒｋ  Ｔｅｍｐｏｒａｒｙ  Ｉｄｅｎｔｉｔｉｅｓ）でマスクされている。具体的には、端末１０２宛の送信データを示す拡張物理下りリンク制御チャネル（第１の拡張物理下りリンク制御チャネル）である場合は、ＣＲＣ（Ｃｙｃｌｉｃ  Ｒｅｄｕｎｄａｎｃｙ  Ｃｈｅｃｋ）の検査ビット（ＣＲＣビット、ＣＲＣ検査ビット）として、端末１０２に割り当てられたＲＮＴI（Ｃ−ＲＮＴＩ（Ｃｅｌｌ−ＲＮＴＩ）、ＳＰＳ  Ｃ−ＲＮＴＩ（Ｓｅｍｉ  Ｐｅｒｓｉｓｔｅｎｔ  Ｓｃｈｅｄｕｌｉｎｇ  Ｃ−ＲＮＴＩ）など）を示すビット列が使用される。そのため、端末１０２宛の送信データは端末１０２だけが読み取ることができるようになっている。また、複数の端末に共通の送信データである場合は、共通の送信データ用のＲＮＴIでマスクされる。具体的には、ページングやシステム情報やランダムアクセスレスポンスなどを示す拡張物理下りリンク制御チャネル（第２の拡張物理下りリンク制御チャネル）は、ＣＲＣの検査ビットとして、それぞれＰ−ＲＮＴＩ（Ｐａｇｉｎｇ−ＲＮＴＩ）、ＳＩ−ＲＮＴＩ（Ｓｙｓｔｅｍ  Ｉｎｆｏｒｍａｔｉｏｎ−ＲＮＴＩ）、ＲＡ−ＲＮＴＩ（Ｒａｎｄｏｍ  Ａｃｃｅｓｓ−ＲＮＴＩ）を示すビット列が使用される。Ｃ−ＲＮＴＩやＳＰＳ  Ｃ−ＲＮＴＩなどの端末に固有の識別子は基地局１０１から各端末１０２に予め通知される一方、Ｐ−ＲＮＴＩやＳＩ−ＲＮＴＩなどの報知情報用の識別子は共通あるいは固定に設定されており、各端末１０２は、同一のページングやシステム情報やランダムアクセスレスポンスを読み取ることができるようになっている。
【００２６】
図２は、本実施形態に係る下りリンクの無線フレーム構成の一例を示す図である。下りリンクはＯＦＤＭアクセス方式が用いられる。下りリンクでは、ＰＤＣＣＨ、物理下りリンク共用チャネル（ＰＤＳＣＨ；Ｐｈｙｓｉｃａｌ  Ｄｏｗｎｌｉｎｋ  Ｓｈａｒｅｄ  ＣＨａｎｎｅｌ）などが割り当てられる。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成され、時間領域において７個のＯＦＤＭシンボルから構成される。周波数領域において１つのサブキャリア、時間領域において１つのＯＦＤＭシンボルにより規定される領域をリソースエレメント（ＲＥ；Ｒｅｓｏｕｒｃｅ  Ｅｌｅｍｅｎｔ）と称する。物理下りリンク制御チャネルは、端末装置識別子、物理下りリンク共用チャネルのスケジューリング情報、物理上りリンク共用チャネルのスケジューリング情報、変調方式、符号化率、再送パラメータなどの下りリンク制御情報が送信される物理チャネルである。なお、ここでは一つの要素キャリア（ＣＣ；Ｃｏｍｐｏｎｅｎｔ  Ｃａｒｒｉｅｒ）における下りリンクサブフレームを記載しているが、ＣＣ毎に下りリンクサブフレームが規定され、下りリンクサブフレームはＣＣ間でほぼ同期している。
【００２７】
図３は、本実施形態に係る上りリンクの無線フレーム構成の一例を示す図である。上りリンクはＳＣ−ＦＤＭＡ方式が用いられる。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、ＰＵＣＣＨなどが割り当てられる。また、ＰＵＳＣＨやＰＵＣＣＨの一部に、上りリンク参照信号が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成され、時間領域において７個のＳＣ−ＦＤＭＡシンボルから構成される。なお、ここでは一つのＣＣにおける上りリンクサブフレームを記載しているが、ＣＣ毎に上りリンクサブフレームが規定される。
【００２８】
図４は、本実施形態に係る基地局１０１のブロック構成の一例を示す概略図である。基地局１０１は、コードワード生成部４０１、下りリンクサブフレーム生成部４０２、ＯＦＤＭ信号送信部（下りリンク制御チャネル送信部）４０４、送信アンテナ（基地局送信アンテナ）４０５、受信アンテナ（基地局受信アンテナ）４０６、ＳＣ−ＦＤＭＡ信号受信部４０７、上りリンクサブフレーム処理部４０８、上位層（上位層制御情報通知部）４０９を有する。下りリンクサブフレーム生成部４０２は、物理下りリンク制御チャネル生成部４０３を有する。
【００２９】
図５は、本実施形態に係る端末１０２のブロック構成の一例を示す概略図である。端末１０２は、受信アンテナ（端末受信アンテナ）５０１、ＯＦＤＭ信号受信部（下りリンク受信部）５０２、下りリンクサブフレーム処理部５０３、コードワード抽出部（データ抽出部）５０５、上位層（上位層制御情報取得部）５０６、上りリンクサブフレーム生成部５０７、ＳＣ−ＦＤＭＡ信号送信部５０８、送信アンテナ（端末送信アンテナ）５０９を有する。下りリンクサブフレーム処理部５０３は、物理下りリンク制御チャネル抽出部（下りリンク制御チャネル検出部）５０４を有する。
【００３０】
まず、図４および図５を用いて、下りリンクデータの送受信の流れについて説明する。基地局１０１では、上位層４０９から送られてくる送信データ（トランスポートブロックとも称す）は、コードワード生成部４０１において、誤り訂正符号化、レートマッチング処理などの処理が施され、コードワードが生成される。この下りリンク送信データは、端末１０２宛の送信データである場合もあれば、ページングやシステム情報など、複数の端末に共通の送信データである場合もある。１つのセルにおける１つのサブフレームにおいて、最大２つのコードワードが同時に送信される。下りリンクサブフレーム生成部４０２では、上位層４０９の指示により、下りリンクサブフレームが生成される。まず、コードワード生成部４０１において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレームが生成される。なお、下りリンクにおけるＲＥは、各ＯＦＤＭシンボル上の各サブキャリアに対応して規定される。このとき、上位層４０９から送られてくる送信データ系列は、ＲＲＣ（Ｒａｄｉｏ  Ｒｅｓｏｕｒｃｅ  Ｃｏｎｔｒｏｌ）シグナリング用の制御情報（上位層制御情報）を含む。また、物理下りリンク制御チャネル生成部４０３では、物理下りリンク制御チャネルが生成される。ここで、物理下りリンク制御チャネルに含まれる制御情報（下りリンク制御情報、下りリンクグラント）は、下りリンクにおける変調方式などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いるＨＡＲＱの制御情報（リダンダンシーバージョン・ＨＡＲＱプロセス番号・新データ指標）、ＰＵＣＣＨの閉ループ送信電力制御に用いるＰＵＣＣＨ−ＴＰＣ（Ｔｒａｎｓｍｉｓｓｉｏｎ  Ｐｏｗｅｒ  Ｃｏｎｔｒｏｌ）コマンドなどの情報を含む。下りリンクサブフレーム生成部４０２は、上位層４１０の指示により、また、下りリンク送信データの種類に応じたＲＮＴＩでマスクし、物理下りリンク制御チャネルを下りリンクサブフレーム内のＲＥにマッピングする。下りリンクサブフレーム生成部４０２で生成されたアンテナポート毎の下りリンクサブフレームは、ＯＦＤＭ信号送信部４０４においてＯＦＤＭ信号に変調され、送信アンテナ４０５を介して送信される。
【００３１】
端末１０２では、受信アンテナ５０１を介して、ＯＦＤＭ信号受信部５０２においてＯＦＤＭ信号が受信され、ＯＦＤＭ復調処理が施される。下りリンクサブフレーム処理部５０３は、まず物理下りリンク制御チャネル抽出部５０４においてＰＤＣＣＨ（第１の下りリンク制御チャネル）あるいはＥ−ＰＤＣＣＨ（第２の下りリンク制御チャネル）を検出する。より具体的には、ＰＤＣＣＨが配置され得る領域（第１の下りリンク制御チャネル領域）あるいはＥ−ＰＤＣＣＨが配置され得る領域（第２の下りリンク制御チャネル領域、潜在的Ｅ−ＰＤＣＣＨ）をデコードし、予め付加されているＣＲＣの検査ビットを確認する（ブラインドデコーディング）。すなわち、物理下りリンク制御チャネル抽出部５０４は、ＰＤＣＣＨ領域に配置されたＰＤＣＣＨと、ＰＤＣＣＨ領域とは異なるＰＤＳＣＨ領域に配置されたＥ−ＰＤＣＣＨとをモニタリングする。ＣＲＣ検査ビットが予め基地局から割り当てられたＩＤ（ＲＮＴＩ）と一致する場合、下りリンクサブフレーム処理部５０３は、ＰＤＣＣＨあるいはＥ−ＰＤＣＣＨを検出できたものと認識し、検出したＰＤＣＣＨあるいはＥ−ＰＤＣＣＨに含まれる制御情報を用いてＰＤＳＣＨを抽出する。より具体的には、下りリンクサブフレーム生成部４０２におけるＲＥマッピング処理や変調処理に対応するＲＥデマッピング処理や復調処理などが施される。受信した下りリンクサブフレームから抽出されたＰＤＳＣＨは、コードワード抽出部５０５に送られる。コードワード抽出部５０５では、コードワード生成部４０１におけるレートマッチング処理、誤り訂正符号化に対応するレートマッチング処理、誤り訂正復号化などが施され、トランスポートブロックが抽出され、上位層５０６に送られる。すなわち、物理下りリンク制御チャネル抽出部５０４がＰＤＣＣＨあるいはＥ−ＰＤＣＣＨを検出した場合、コードワード抽出部５０５は検出されたＰＤＣＣＨあるいはＥ−ＰＤＣＣＨに関連するＰＤＳＣＨにおける送信データを抽出して上位層５０６に送る。
【００３２】
次に、上りリンク送信データの送受信の流れについて説明する。端末１０２では、上りリンクサブフレーム生成部５０７では、上位層５０６から送られる上りリンク送信データが、上りリンクサブフレーム内のＲＢにマッピングされる。ＳＣ−ＦＤＭＡ信号送信部５０８は、上りリンクサブフレームにＳＣ−ＦＤＭＡ変調を施してＳＣ−ＦＤＭＡ信号を生成し、送信アンテナ５０９を介して送信する。
【００３３】
基地局１０１では、受信アンテナ４０６を介して、ＳＣ−ＦＤＭＡ信号受信部４０７においてＳＣ−ＦＤＭＡ信号が受信され、ＳＣ−ＦＤＭＡ復調処理が施される。上りリンクサブフレーム処理部４０８では、上りリンク送信データがマッピングされたＲＢから上りリンク送信データを抽出し、抽出された上りリンク送信データは上位層４０９に送られる。
【００３４】
次に、ＰＤＣＣＨについて説明する。図６はＰＤＣＣＨ領域、およびＰＤＳＣＨ領域を示す図である。第１の制御チャネルであるＰＤＣＣＨは、サブフレームにおける先頭の１〜３のＯＦＤＭシンボルに配置される。第１の制御チャネルの周波数方向は、システム帯域幅に渡って配置される。また、共有チャネルは、サブフレームにおいて、第１の制御チャネル以外のＯＦＤＭシンボルに配置される。ＰＤＣＣＨは、複数の制御チャネルエレメント（ＣＣＥ：Ｃｏｎｔｒｏｌ  Ｃｈａｎｎｅｌ  Ｅｌｅｍｅｎｔ）により構成される。各下りリンクコンポーネントキャリアで用いられるＣＣＥの数は、下りリンクコンポーネントキャリア帯域幅と、ＰＤＣＣＨを構成するＯＦＤＭシンボル数と、通信に用いる基地局の送信アンテナの数に応じた下りリンク参照信号の送信ポート数に依存する。ＣＣＥは、複数の下りリンクリソースエレメント（１つのＯＦＤＭシンボルおよび１本のサブキャリアで規定されるリソース）により構成される。
【００３５】
基地局と端末との間で用いられるＣＣＥには、ＣＣＥを識別するための番号が付与されている。ＣＣＥの番号付けは、予め決められた規則に基づいて行なわれる。ここで、ＣＣＥ＿ｔは、ＣＣＥ番号ｔのＣＣＥを示す。ＰＤＣＣＨは、複数のＣＣＥからなる集合（ＣＣＥ  Ａｇｇｒｅｇａｔｉｏｎ）により構成される。この集合を構成するＣＣＥの数を、「ＣＣＥ集合レベル」（ＣＣＥ  ａｇｇｒｅｇａｔｉｏｎ  ｌｅｖｅｌ）と称す。ＰＤＣＣＨを構成するＣＣＥ集合レベルは、ＰＤＣＣＨに設定される符号化率、ＰＤＣＣＨに含められるＤＣＩのビット数に応じて基地局において設定される。なお、端末に対して用いられる可能性のあるＣＣＥ集合レベルの組み合わせは予め決められている。また、ｎ個のＣＣＥからなる集合を、「ＣＣＥ集合レベルｎ」という。
【００３６】
１個のリソースエレメントグループは周波数領域の隣接する４個の下りリンクリソースエレメントにより構成される。さらに、１個のＣＣＥは、周波数領域及び時間領域に分散した９個の異なるリソースエレメントグループにより構成される。具体的には、下りリンクコンポーネントキャリア全体に対して、番号付けされた全てのリソースエレメントグループに対してブロックインタリーバを用いてリソースエレメントグループ単位でインタリーブが行なわれ、インタリーブ後の番号の連続する９個のリソースエレメントグループにより１個のＣＣＥが構成される。
【００３７】
各端末には、ＰＤＣＣＨを検索する領域（探索領域、検索領域）であるＳＳ（Ｓｅａｒｃｈ  Ｓｐａｃｅ）が設定される。ＳＳは、複数のＣＣＥから構成される。ＣＣＥには予め番号が振られており、番号の連続する複数のＣＣＥからＳＳは構成される。あるＳＳを構成するＣＣＥ数は予め決められている。各ＣＣＥ集合レベルのＳＳは、複数のＰＤＣＣＨの候補の集合体により構成される。ＳＳは、構成されるＣＣＥのうち、番号が最も小さいＣＣＥの番号がセル内で共通であるセル固有探索領域ＣＳＳ（Ｃｅｌｌ−ｓｐｅｃｉｆｉｃ  ＳＳ）と、番号が最も小さいＣＣＥの番号が端末固有である端末固有探索領域ＵＳＳ（ＵＥ−ｓｐｅｃｉｆｉｃ  ＳＳ）とに分類される。ＣＳＳには、システム情報あるいはページングに関する情報など、複数の端末が読む制御情報が割り当てられた（含まれた）ＰＤＣＣＨ、あるいは下位の送信方式へのフォールバックやランダムアクセスの指示を示す下りリンク／上りリンクグラントが割り当てられた（含まれた）ＰＤＣＣＨを配置することができる。
【００３８】
基地局は、端末において設定されるＳＳ内の１個以上のＣＣＥを用いてＰＤＣＣＨを送信する。端末は、ＳＳ内の１個以上のＣＣＥを用いて受信信号の復号を行ない、自身宛てのＰＤＣＣＨを検出するための処理を行なう（ブラインドデコーディングと呼称する）。端末は、ＣＣＥ集合レベル毎に異なるＳＳを設定する。その後、端末は、ＣＣＥ集合レベル毎に異なるＳＳ内の予め決められた組み合わせのＣＣＥを用いてブラインドデコーディングを行なう。言い換えると、端末は、ＣＣＥ集合レベル毎に異なるＳＳ内の各ＰＤＣＣＨの候補に対してブラインドデコーディングを行なう。端末におけるこの一連の処理をＰＤＣＣＨのモニタリングという。
【００３９】
基地局は、ＣＳＳにページングやシステム情報やランダムアクセスレスポンスなどを指示するＰＤＣＣＨ（複数の端末に共通の送信データを指定するＰＤＣＣＨ）を配置する。また、端末は、ＣＳＳにおいて、Ｐ−ＲＮＴＩ、ＳＩ−ＲＮＴＩ、ＲＡ−ＲＮＴＩなどを用いたＰＤＣＣＨのモニタリング（ブラインドデコードおよびＣＲＣ検査ビットの確認）を行う。
【００４０】
次に、Ｅ−ＰＤＣＣＨについて説明する。図７はＥ−ＰＤＣＣＨ領域、およびＰＤＳＣＨ領域における物理リソースブロックＰＲＢ（Ｐｈｙｓｉｃａｌ  ＲＢ）とＥ−ＰＤＣＣＨ論理リソース要素とを示す図である。実際のサブフレーム上のＲＢはＰＲＢと呼ばれる。また、ＲＢの割り当てに用いられる論理的なリソースであるＲＢはＶＲＢ（Ｖｉｒｔｕａｌ  ＲＢ）と呼ばれる。なお、ここではＶＲＢがＥ−ＰＤＣＣＨ論理リソースの要素である場合について説明するがこれに限るものではない。
【００４１】
Ｅ−ＰＤＣＣＨは、ＰＤＣＣＨ以外のＯＦＤＭシンボルに配置される（ただし、一部重複してもよい）。Ｅ−ＰＤＣＣＨは、ＰＤＳＣＨと周波数多重される。また、Ｅ−ＰＤＣＣＨが配置されうるリソースブロックは、端末毎に設定される。また、Ｅ−ＰＤＣＣＨが配置されるＯＦＤＭシンボルのスタート位置は、共有チャネルと同様の方法あるいは個別の方法を用いることができる。
【００４２】
ＮＤＬＰＲＢは、下りリンクＣＣ内で周波数方向に並べられたＰＲＢ数である。ＰＲＢ（あるいはＰＲＢペア）には番号ｎＰＲＢが振られ、ｎＰＲＢは周波数の低い方から順に、０、１、２、・・・、ＮＤＬＰＲＢ−１となる。下りリンクＣＣ内で周波数方向に並べられたＶＲＢ数をＮとして、Ｅ−ＰＤＣＣＨ論理リソース要素には番号ｎＶＲＢが振られ、ｎＶＲＢは周波数の低い方から順に、０、１、２、・・・、Ｎ−１となる。ＰＲＢの各々とＥ−ＰＤＣＣＨ論理リソース要素の各々は、明示的あるいは黙示的／暗示的にマッピングされる。なお、ここでいう番号は、インデクスとも表現できる。
【００４３】
ＰＤＣＣＨと同様、Ｅ−ＰＤＣＣＨは、所定数（集合レベル）のＥ−ＰＤＣＣＨ論理リソース要素からなる集合により構成される。図８は、Ｅ−ＰＤＣＣＨ論理リソースのアグリゲーションの一例を示す図である。ここでは、アグリゲーションレベル１からアグリゲーションレベル８の４種類のアグリゲーションレベルを示しており、それぞれ１個から８個のＥ−ＰＤＣＣＨ論理リソース要素から１つのＥ−ＰＤＣＣＨが構成される。
【００４４】
図９はＥ−ＰＤＣＣＨ領域およびＰＤＳＣＨ領域におけるＰＲＢとＥ−ＰＤＣＣＨ論理リソース要素とのマッピングの一例を示す図である。このＰＲＢ対Ｅ−ＰＤＣＣＨ論理リソース要素マッピング方式によれば、１つのＥ−ＰＤＣＣＨ論理リソース要素が１つのＰＲＢにマッピングされる。まず第１スロットにおけるＰＲＢにおいてｎＰＲＢが増加に対応して、ｎＶＲＢが増加するようにＰＲＢとＥ−ＰＤＣＣＨ論理リソース要素とがマッピングされる。次に第２スロットにおけるＰＲＢにおいてｎＰＲＢが増加に対応して、ｎＶＲＢが増加するようにＰＲＢとＥ−ＰＤＣＣＨ論理リソース要素とがマッピングされる。すなわち、ＰＲＢにおいて、スロットのループの内側でｎＰＲＢのループの処理を行う。あるいは、ここでは図示しないが、第１スロット、第２スロットという順でｎＶＲＢが増加するようにＰＲＢとＥ−ＰＤＣＣＨ論理リソース要素とがマッピングし、その後、次の第１スロットでｎＰＲＢが増加するという順でマッピングしてもよい。すなわち、ＰＲＢにおいて、ｎＰＲＢのループの内側でスロットのループの処理を行うようにしてもよい。
【００４５】
このように、１つのＥ−ＰＤＣＣＨ論理リソース要素が１つのＰＲＢにマッピングされるようにすることにより、Ｅ−ＰＤＣＣＨを周波数軸上で局所的に配置することができる（リソース割当タイプ１）。このような局所的なＥ−ＰＤＣＣＨ送信が可能なマッピングを用いたＥ−ＰＤＣＣＨ送信を局所Ｅ−ＰＤＣＣＨ送信（Ｌｏｃａｌｉｚｅｄ  Ｅ−ＰＤＣＣＨ送信、第１のＥ−ＰＤＣＣＨ送信）と称す。局所Ｅ−ＰＤＣＣＨ送信は、周波数選択性フェージング環境下において、品質が良好な周波数チャネルを用いてＥ−ＰＤＣＣＨを送信することができる。そのため、伝搬路の周波数選択性を把握している場合に、大きな利得を得ることができる。
【００４６】
一方、１つのＥ−ＰＤＣＣＨ論理リソース要素が複数のＰＲＢにマッピングされるようにすることにより、Ｅ−ＰＤＣＣＨを周波数軸上で分散的に配置することができる（リソース割当タイプ２）。このような分散的なＥ−ＰＤＣＣＨ送信が可能なマッピングを用いたＥ−ＰＤＣＣＨ送信を分散Ｅ−ＰＤＣＣＨ送信（Ｄｉｓｔｒｉｂｕｔｅｄ  Ｅ−ＰＤＣＣＨ送信、第２のＥ−ＰＤＣＣＨ送信）と称す。以下では、分散Ｅ−ＰＤＣＣＨ送信時のＰＲＢ対Ｅ−ＰＤＣＣＨ論理リソース要素マッピングについて述べる。分散Ｅ−ＰＤＣＣＨ送信は、周波数選択性フェージング環境下において、大きな周波数ダイバーシチ効果を得ることができる。そのため、伝搬路の周波数選択性に左右されない利得を得ることができる
【００４７】
図１０はＥ−ＰＤＣＣＨ領域およびＰＤＳＣＨ領域におけるＰＲＢとＥ−ＰＤＣＣＨ論理リソース要素とのマッピングの他の一例を示す図である。このＰＲＢ対Ｅ−ＰＤＣＣＨ論理リソース要素マッピング方式によれば、複数のＥ−ＰＤＣＣＨ論理リソース要素の組が、複数のＰＲＢの組にマッピングされる。なお、ここでは、１つの組から１つの組へのマッピングを示しているが、これは複数の組から複数の組へのマッピングのうちの１つだけを図示してものであり、この他にもＥ−ＰＤＣＣＨ論理リソース要素の組やＰＲＢの組が存在する。また、ここでは、ＲＰＢの組として第１スロット内の複数のＰＲＢを組にする場合を示しているが、これに限るものではない。第２スロット内の複数のＰＲＢを組にしてもよいし、第１スロット内のＰＲＢと第２スロット内のＰＲＢとから１つの組を構成してもよい。また、ここでは、組を構成する要素数が同じで２個である場合について説明したが、これに限るものではない。例えば、４個のＥ−ＰＤＣＣＨ論理リソース要素の組が、２個のＰＲＢの組にマッピングされるように、Ｅ−ＰＤＣＣＨ論理リソース要素の数を多くしてもよいし、２個のＥ−ＰＤＣＣＨ論理リソース要素の組が、４個のＰＲＢの組にマッピングされるように、ＰＲＢの数を多くしてもよい。また、共に２個ではなく、３個以上の数にしてもよい。 
【００４８】
図１１はＥ−ＰＤＣＣＨ領域およびＰＤＳＣＨ領域におけるＰＲＢとＥ−ＰＤＣＣＨ論理リソース要素とのマッピングの他の一例を示す図である。このＰＲＢ対Ｅ−ＰＤＣＣＨ論理リソース要素マッピング方式によれば、複数のＥ−ＰＤＣＣＨ論理リソース要素の組が、複数の部分ＰＲＢペアの組にマッピングされる。図１１と図１０との違いは、ＰＲＢを部分ＰＲＢペアにしたことである。ここで、部分ＰＲＢペアとは、１つのＰＲＢペアを周波数方向および／または時間方向に分割してできた領域である。なお、図１１では、周波数方向に２分割する例を示しているがこれに限るものではない。１つのＰＲＢペアを周波数方向および／または時間方向に分割してできた領域であればよい。この意味では、ＰＲＢは、時間方向に分割する場合の部分ＰＲＢペアであるとも言える。
【００４９】
次に、複数のＥ−ＰＤＣＣＨ論理リソース要素の組が、複数の部分ＰＲＢペア（ＰＲＢも含む）の組にマッピングされる場合のＲＥとＥ−ＰＤＣＣＨ論理リソース要素とのマッピングについて説明する。図１２は、ＲＥとＥ−ＰＤＣＣＨ論理リソース要素とのマッピングの一例を示す図である。Ｅ−ＰＤＣＣＨ論理リソース要素および部分ＰＲＢペアの各々は、複数個に分割される。特に、部分ＰＲＢペアは周波数方向に分割される。１つのＥ−ＰＤＣＣＨ論理リソース要素が分割されてできた複数の構成要素は、少なくとも２つの異なる部分ＰＲＢペアの一部にマッピングされる。
【００５０】
図１３は、ＲＥとＥ−ＰＤＣＣＨ論理リソース要素とのマッピングの他の一例を示す図である。Ｅ−ＰＤＣＣＨ論理リソース要素および部分ＰＲＢペアの各々は、複数個に分割される。特に、部分ＰＲＢペアは時間方向に分割される。図１２と同様、１つのＥ−ＰＤＣＣＨ論理リソース要素が分割されてできた複数の構成要素は、少なくとも２つの異なる部分ＰＲＢペアの一部にマッピングされる。
【００５１】
図１４は、ＲＥとＥ−ＰＤＣＣＨ論理リソース要素とのマッピングの他の一例を示す図である。Ｅ−ＰＤＣＣＨ論理リソース要素および部分ＰＲＢペアの各々は、複数個に分割される。特に、部分ＰＲＢペアは時間および周波数方向に分割される。図１２や図１３と同様、１つのＥ−ＰＤＣＣＨ論理リソース要素が分割されてできた複数の構成要素は、少なくとも２つの異なる部分ＰＲＢペアの一部にマッピングされる。
【００５２】
図１２から図１４におけるＲＥとＥ−ＰＤＣＣＨ論理リソース要素とのマッピングにおいて、好ましくは、Ｅ−ＰＤＣＣＨ論理リソース要素と部分ＰＲＢペアの分割数を同数Ｋとし、任意のＥ−ＰＤＣＣＨ論理リソース要素をＫ分割してできた構成要素のうちのｋ（ｋは１、２、・・・、Ｋのいずれかの値）番目の構成要素を、部分ＰＲＢペアをＫ分割してできた構成要素のうちのｋ番目の構成要素にマッピングするようにする。
【００５３】
さらに好ましくは、Ｅ−ＰＤＣＣＨ論理リソース要素と部分ＰＲＢペアの分割数を、１つの組におけるＥ−ＰＤＣＣＨ論理リソース要素の数および１つの組における部分ＰＲＢペアの数と同数Ｋとし、１つの組におけるｋ１（ｋ１は１、２、・・・、Ｋのいずれかの値）番目のＥ−ＰＤＣＣＨ論理リソース要素をＫ分割してできた構成要素のうちのｋ２（ｋ２は１、２、・・・、Ｋのいずれかの値）番目の構成要素は、１つの組におけるｍｏｄ（ｋ１＋ｋ２−２、Ｋ）＋１番目の部分ＰＲＢペアをＫ分割してできた構成要素のうちのｋ２番目の構成要素にマッピングするようにする。ここでｍｏｄは剰余関数である。
【００５４】
以上では、局所Ｅ−ＰＤＣＣＨ送信と分散Ｅ−ＰＤＣＣＨ送信について説明した。次に、特に複数の端末に共通の送信データ（報知される送信データ）を送信する場合に着目して、基地局から端末に送信データを送信する際の流れについて説明する。
【００５５】
図１５は、基地局１０１と端末１０２との間の下りリンクデータ送信の流れを示す図である。端末１０２は、初期アクセス後、ＰＤＣＣＨ領域において、報知される送信データ（ページングやシステム情報やランダムアクセスレスポンスなど）を指定するＰＤＣＣＨ（ページング指示、ＳＩ指示、ＲＡレスポンス指示など）をモニタリングしている。基地局１０１は、報知される送信データ（ページングやシステム情報やランダムアクセスレスポンスなど）の送信が必要になった場合、少なくともＰＤＣＣＨ領域において、報知される送信データを指定（指示）するＰＤＣＣＨを送信する（Ｓ１５０１）。また、Ｅ−ＰＤＣＣＨ領域において、報知される送信データを指定（指示）するＥ−ＰＤＣＣＨを送信してもよい（Ｓ１５０１）。なお、ここではＰＤＣＣＨによる指示とＥ−ＰＤＣＣＨによる指示が同じタイミングであるかのように図示しているが、これに限るものではない。
【００５６】
端末１０２は、ＰＤＣＣＨ領域において、報知される送信データを指定するＰＤＣＣＨをモニタリングしているため、基地局１０１から送信されたこのＰＤＣＣＨを検出する（Ｓ１５０２）。
【００５７】
基地局１０１は各端末１０２宛の個別のシグナリング（ＲＲＣシグナリング）を用いて、第１のＥ−ＰＤＣＣＨ領域を指定（設定、通知）する制御情報を端末１０２に通知し、端末１０２は制御情報に基づいて第１のＥ−ＰＤＣＣＨ領域（潜在的Ｅ−ＰＤＣＣＨ）を設定する（ステップＳ１５０３）。ここで、Ｅ−ＰＤＣＣＨ領域を指定する方法としては、周波数帯域内の一部あるいは全部のＲＢを指定する方法を用いることができる。例えば、ＰＲＢ毎にＥ−ＰＤＣＣＨが配置され得るか否かをビットマップ形式で表現することができる。また、これと併用して、時間領域における一部のサブフレームをＥ−ＰＤＣＣＨが配置され得るサブフレームとして指定することができる。例えば、サブフレームの周期および基準サブフレームからのオフセット値を指定するという方法を用いることができる。あるいは、無線フレーム（１０サブフレーム）あるいは複数無線フレーム内の各サブフレームに対し、Ｅ−ＰＤＣＣＨが配置され得るか否かをビットマップ形式で表現することもできる。
【００５８】
ここで、第１のＥ−ＰＤＣＣＨ領域におけるＥ−ＰＤＣＣＨ送信は、局所的Ｅ−ＰＤＣＣＨ送信であるか、分散的Ｅ−ＰＤＣＣＨ送信であるか、あるいは両方であるかが設定されている。例えば、第１のＥ−ＰＤＣＣＨ領域を指定（設定、通知）とともに、第１のＥ−ＰＤＣＣＨ領域におけるＥ−ＰＤＣＣＨ送信が局所的Ｅ−ＰＤＣＣＨ送信であるか、分散的Ｅ−ＰＤＣＣＨ送信であるか、あるいは両方であるかを基地局１０１が端末１０２に通知する。あるいは、第１のＥ−ＰＤＣＣＨ領域は、局所的Ｅ−ＰＤＣＣＨ送信と分散的Ｅ−ＰＤＣＣＨ送信とその両方のうちのいずれかであることが、予め決められている。なお、ここでは、第１のＥ−ＰＤＣＣＨ領域におけるＥ−ＰＤＣＣＨ送信では、分散的Ｅ−ＰＤＣＣＨ送信を用いないものとして説明を続ける。
【００５９】
第１のＥ−ＰＤＣＣＨ領域が設定された端末１０２は、端末１０２宛の送信データを指定するＥ−ＰＤＣＣＨをモニタリングする。一方、端末１０２は、ＰＤＣＣＨ領域において、報知される送信データを指定するＰＤＣＣＨを引き続きモニタリングしている。すなわち、この時点で、端末１０２は、ＰＤＣＣＨ領域において、報知される送信データを指定するＰＤＣＣＨをモニタリングし、第１のＥ−ＰＤＣＣＨ領域において、端末１０２宛の送信データを指定するＥ−ＰＤＣＣＨをモニタリングする。
【００６０】
基地局１０１は、Ｅ−ＰＤＣＣＨ領域内で報知される送信データを指定するＥ−ＰＤＣＣＨをモニタリングさせたい場合、基地局１０１は各端末１０２宛の個別のシグナリング（ＲＲＣシグナリング）を用いて、第２のＥ−ＰＤＣＣＨ領域を指定（設定、通知）する制御情報を端末１０２に通知し、端末１０２は制御情報に基づいて第１のＥ−ＰＤＣＣＨ領域（潜在的Ｅ−ＰＤＣＣＨ）を設定する（ステップＳ１５０４）。第１のＥ−ＰＤＣＣＨ領域の設定と同様、第２のＥ−ＰＤＣＣＨ領域におけるＥ−ＰＤＣＣＨ送信は、局所的Ｅ−ＰＤＣＣＨ送信であるか、分散的Ｅ−ＰＤＣＣＨ送信であるか、あるいは両方であるかが設定されている。なお、ここでは、第２のＥ−ＰＤＣＣＨ領域におけるＥ−ＰＤＣＣＨ送信では、少なくとも分散的Ｅ−ＰＤＣＣＨ送信を用いるものとして説明を続ける。
【００６１】
なお、１つのＥ−ＰＤＣＣＨ領域内のＳＳは１つでもよいし、１つのＥ−ＰＤＣＣＨ領域内に複数のＳＳを設定することもできる。この場合、Ｅ−ＰＤＣＣＨ領域の設定の中に、さらにＳＳの設定を含む構成としてもよい。また、Ｅ−ＰＤＣＣＨ領域内のＳＳ毎に局所的Ｅ−ＰＤＣＣＨ送信であるか、分散的Ｅ−ＰＤＣＣＨ送信であるか、あるいは両方であるかを設定できるようにしてもよい。
【００６２】
端末１０２は、少なくとも分散的Ｅ−ＰＤＣＣＨ送信を用いる第２のＥ−ＰＤＣＣＨ領域が設定されると、Ｅ−ＰＤＣＣＨ領域において、報知される送信データを指定するＥ−ＰＤＣＣＨをモニタリングする。したがって、端末１０２は、ステップＳ１５０４の後、Ｅ−ＰＤＣＣＨ領域において、報知される送信データ（ページングやシステム情報やランダムアクセスレスポンスなど）を指定するＥ−ＰＤＣＣＨ（ページング指示、ＳＩ指示、ＲＡレスポンス指示など）をモニタリングする。すなわち、送信データを指定する制御チャネルをモニタリングする領域を、ＰＤＣＣＨ領域とＥ−ＰＤＣＣＨ領域との間で切り替える。
【００６３】
基地局１０１は、報知される送信データ（ページングやシステム情報やランダムアクセスレスポンスなど）の送信が必要になった場合、少なくともＥ−ＰＤＣＣＨ領域において、報知される送信データを指定（指示）するＥ−ＰＤＣＣＨを送信する（Ｓ１５０５）。また、ＰＤＣＣＨ領域において、報知される送信データを指定（指示）するＰＤＣＣＨを送信してもよい（Ｓ１５０５）。
【００６４】
端末１０２は、Ｅ−ＰＤＣＣＨ領域において、報知される送信データを指定するＥ−ＰＤＣＣＨをモニタリングしているため、基地局１０１から送信されたこのＥ−ＰＤＣＣＨを検出する（Ｓ１５０６）。
【００６５】
図１６は、端末１０２における動作を示すフローチャートである。少なくとも分散的Ｅ−ＰＤＣＣＨ送信を用いるＥ−ＰＤＣＣＨ領域（リソース割当タイプ２のＥ−ＰＤＣＣＨ領域）が設定されているか否かを判定する（ステップＳ１６０１）。局所的Ｅ−ＰＤＣＣＨ送信を用いるＥ−ＰＤＣＣＨ領域（リソース割当タイプ１のＥ−ＰＤＣＣＨ領域）のみが設定されている場合、すなわち、リソース割当タイプ２のＥ−ＰＤＣＣＨ領域が設定されていない（ステップＳ１６０１においてＮｏ）場合、ＰＤＣＣＨ領域において、報知される送信データを指定するＰＤＣＣＨをモニタリングする（ステップＳ１６０２）。一方、
リソース割当タイプ１のＥ−ＰＤＣＣＨ領域以外のＥ−ＰＤＣＣＨ領域が設定されている場合、すなわち、リソース割当タイプ２のＥ−ＰＤＣＣＨ領域が設定されている（ステップＳ１６０１においてＹｅｓ）場合、設定されたＥ−ＰＤＣＣＨ領域において、報知される送信データを指定するＥ−ＰＤＣＣＨをモニタリングする（ステップＳ１６０３）。
【００６６】
このように、本実施形態に係る通信システムでは、基地局は、端末が、Ｅ−ＰＤＣＣＨ領域において、報知される送信データを指定するＥ−ＰＤＣＣＨをモニタリングすることを黙示的／暗示的に指定（設定、通知）する。端末は、報知される送信データを指定するＥ−ＰＤＣＣＨのモニタリング（報知される送信データに対応するＲＮＴIによりスクランブルされたＣＲＣ検査ビットが付加されたＥ−ＰＤＣＣＨのデコード）が設定されていない場合は、Ｅ−ＰＤＣＣＨ領域ではなくＰＤＣＣＨ領域において、報知される送信データを指定するＰＤＣＣＨをモニタリングする（報知される送信データに対応するＲＮＴIによりスクランブルされたＣＲＣ検査ビットが付加されたＰＤＣＣＨをデコードする）。一方、報知される送信データを指定するＥ−ＰＤＣＣＨのモニタリングが設定されている場合は、ＰＤＣＣＨ領域ではなくＥ−ＰＤＣＣＨ領域において、報知される送信データを指定するＥ−ＰＤＣＣＨをモニタリングする。
【００６７】
これにより、送信データを指定する制御チャネルをモニタリングする領域を適応的に切り替えることができる。そのため、基地局が端末に対する制御情報を、物理下りリンク制御チャネルだけでなく、拡張された物理下りリンク制御チャネルを介して通知する場合においても、効率的に各端末宛の送信データあるいは複数の端末に共通の送信データの指定を行うことができる。
（第２の実施形態）
上記第１の実施形態では、複数の端末に共通の送信データ（報知される送信データ）を送信する場合に着目して、複数のＥ−ＰＤＣＣＨ領域を明示的に指定（設定、通知）する通信システムについて説明した。本発明の第２の実施形態では、各端末宛の送信データ（端末毎に個別の送信データ）を送信する場合に注目して、複数のＥ−ＰＤＣＣＨ領域を明示的に指定（設定、通知）する通信システムについて説明する。 
【００６８】
なお、本実施形態における通信システムは、図１に示す通信システムと同様の構成を用いることができる。また、本実施形態における基地局１０１および端末１０２のブロック構成は、図４および図５に示したブロック構成同様の構成を用いることができる。しかしながら、基地局から端末に送信データを送信する際の流れが第１の実施形態とは若干異なる。 
【００６９】
図１７は、基地局１０１と端末１０２との間の下りリンクデータ送信の流れを示す図である。端末１０２は、初期アクセス後、ＰＤＣＣＨ領域において、送信データ（ＰＤＳＣＨ送信）を指定するＰＤＣＣＨ（Ｃ−ＲＮＴＩによりスクランブルされたＣＲＣ検査ビットが付加されたＰＤＣＣＨ）をモニタリングしている。基地局１０１は、ＰＤＳＣＨ送信が必要になった場合、ＰＤＣＣＨ領域において、端末１０２宛のＰＤＳＣＨ送信を指定（指示）するＰＤＣＣＨを送信する（Ｓ１７０１）。
【００７０】
端末１０２は、ＰＤＣＣＨ領域において、ＰＤＳＣＨ送信を指定するＰＤＣＣＨをモニタリングしているため、基地局１０１から送信されたこのＰＤＣＣＨを検出する（Ｓ１７０２）。
【００７１】
基地局１０１は各端末１０２宛の個別のシグナリング（ＲＲＣシグナリング）を用いて、第１のＥ−ＰＤＣＣＨ領域を指定（設定、通知）する制御情報を端末１０２に通知し、端末１０２は制御情報に基づいて第１のＥ−ＰＤＣＣＨ領域（潜在的Ｅ−ＰＤＣＣＨ）を設定する（ステップＳ１７０３）。ここで、Ｅ−ＰＤＣＣＨ領域を指定する方法としては、第１の実施形態と同様の方法を用いることができる。端末１０２は、第１のＥ−ＰＤＣＣＨ領域を指定（設定、通知）する制御情報が通知された場合、ＰＤＣＣＨではなく第１のＥ−ＰＤＣＣＨ領域において、ＰＤＳＣＨ送信を指定するＰＤＣＣＨをモニタリングするように切り替える（モニタリングする領域を変更する）。
【００７２】
ここで、第１のＥ−ＰＤＣＣＨ領域におけるＥ−ＰＤＣＣＨ送信は、局所的Ｅ−ＰＤＣＣＨ送信であるか、分散的Ｅ−ＰＤＣＣＨ送信であるか、あるいは両方であるかが設定されていることが好ましい。例えば、第１のＥ−ＰＤＣＣＨ領域を指定（設定、通知）とともに、第１のＥ−ＰＤＣＣＨ領域におけるＥ−ＰＤＣＣＨ送信が局所的Ｅ−ＰＤＣＣＨ送信であるか、分散的Ｅ−ＰＤＣＣＨ送信であるか、あるいは両方であるかを基地局１０１が端末１０２に通知する。あるいは、第１のＥ−ＰＤＣＣＨ領域は、局所的Ｅ−ＰＤＣＣＨ送信と分散的Ｅ−ＰＤＣＣＨ送信とその両方のうちのいずれかであることが、予め決められている。
【００７３】
基地局１０１は、ＰＤＳＣＨ送信が必要になった場合、通知した第１のＥ−ＰＤＣＣＨ領域において、端末１０２宛のＰＤＳＣＨ送信を指定（指示）するＰＤＣＣＨを送信する（Ｓ１７０４）。
【００７４】
端末１０２は、第１のＥ−ＰＤＣＣＨ領域において、端末１０２宛のＰＤＳＣＨ送信を指定するＥ−ＰＤＣＣＨをモニタリングしているため、基地局１０１から送信されたこのＥ−ＰＤＣＣＨを検出する（Ｓ１７０５）。
【００７５】
次に、基地局１０１は各端末１０２宛の個別のシグナリング（ＲＲＣシグナリング）を用いて、第２のＥ−ＰＤＣＣＨ領域を指定（設定、通知）する制御情報を端末１０２に追加的に通知し、端末１０２は制御情報に基づいて第２のＥ−ＰＤＣＣＨ領域（潜在的Ｅ−ＰＤＣＣＨ）を設定する（ステップ７１８０６）。端末１０２は、第２のＥ−ＰＤＣＣＨ領域を指定（設定、通知）する制御情報が追加的に通知された場合、第１のＥ−ＰＤＣＣＨ領域に加えて、第２のＥ−ＰＤＣＣＨ領域においても、ＰＤＳＣＨ送信を指定するＰＤＣＣＨをモニタリングするように切り替える（モニタリングする領域を変更する）。
【００７６】
ここで、第１のＥ−ＰＤＣＣＨ領域と同様、第２のＥ−ＰＤＣＣＨ領域におけるＥ−ＰＤＣＣＨ送信も、局所的Ｅ−ＰＤＣＣＨ送信であるか、分散的Ｅ−ＰＤＣＣＨ送信であるか、あるいは両方であるかが設定されていることが好ましい。
【００７７】
なお、図１７では、ステップＳ１７０３の後にステップＳ１７０６の処理を行う場合について図示しているが、ステップＳ１７０３とステップＳ１７０６とを同時に処理してもよい。
【００７８】
基地局１０１は、ＰＤＳＣＨ送信が必要になった場合、第１のＥ−ＰＤＣＣＨ領域あるいは追加的に通知した第２のＥ−ＰＤＣＣＨ領域において、端末１０２宛のＰＤＳＣＨ送信を指定（指示）するＰＤＣＣＨを送信する（Ｓ１７０７）。
【００７９】
端末１０２は、第１のＥ−ＰＤＣＣＨ領域あるいは第２のＥ−ＰＤＣＣＨ領域において、端末１０２宛のＰＤＳＣＨ送信を指定するＥ−ＰＤＣＣＨをモニタリングしているため、基地局１０１から送信されたこのＥ−ＰＤＣＣＨを検出する（Ｓ１７０８）。
【００８０】
このように、本実施形態に係る通信システムでは、基地局は、端末に対して、複数のＥ−ＰＤＣＣＨ領域を指定（設定、通知）する。好ましくは、複数のＥ−ＰＤＣＣＨ領域の各々は、リソース割当タイプが個別に（互いに独立に）設定されている。さらに好ましくは、端末は、複数のＥ−ＰＤＣＣＨ領域のうち１つのＥ−ＰＤＣＣＨ領域では局所的Ｅ−ＰＤＣＣＨ送信（リソース割当タイプ１）が設定され、別のＥ−ＰＤＣＣＨ領域では分散的Ｅ−ＰＤＣＣＨ送信（リソース割当タイプ２）が設定されている。端末は、上記複数のＥ−ＰＤＣＣＨ領域の設定に応じて、モニタリングする領域を切り替える。
【００８１】
これにより、送信データを指定する制御チャネルをモニタリングする領域を適応的に切り替えることができる。そのため、基地局が端末に対する制御情報を、物理下りリンク制御チャネルだけでなく、拡張された物理下りリンク制御チャネルを介して通知する場合においても、効率的に各端末宛の送信データあるいは複数の端末に共通の送信データの指定を行うことができる。また、分散的Ｅ−ＰＤＣＣＨ送信による利得と局所的Ｅ−ＰＤＣＣＨ送信による利得とを選択的に得ることができる。
【００８２】
なお、上記各実施形態では、データチャネル、制御チャネル、ＰＤＳＣＨ、ＰＤＣＣＨおよび参照信号のマッピング単位としてリソースエレメントやリソースブロックを用い、時間方向の送信単位としてサブフレームや無線フレームを用いて説明したが、これに限るものではない。任意の周波数と時間で構成される領域および時間単位をこれらに代えて用いても、同様の効果を得ることができる。
【００８３】
また、上記各実施形態では、ＰＤＳＣＨ領域に配置される拡張された物理下りリンク制御チャネル１０３をＥ−ＰＤＣＣＨと呼称し、従来の物理下りリンク制御チャネル（ＰＤＣＣＨ）との区別を明確にして説明したが、これに限るものではない。両方をＰＤＣＣＨと称する場合であっても、ＰＤＳＣＨ領域に配置される拡張された物理下りリンク制御チャネルとＰＤＣＣＨ領域に配置される従来の物理下りリンク制御チャネルとで異なる動作をすれば、Ｅ−ＰＤＣＣＨとＰＤＣＣＨとを区別する上記各実施形態と実質的に同じである。
【００８４】
本発明に関わる基地局および端末で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００８５】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局および端末の一部、または全部を典型的には集積回路であるＬＳＩとして実現してもよい。基地局および端末の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【００８６】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【００８７】
本発明は、無線基地局装置や無線端末装置や無線通信システムや無線通信方法に用いて好適である。
【符号の説明】
【００８８】
１０１  基地局
１０２  端末
１０３  拡張された物理下りリンク制御チャネル
１０４  下りリンク送信データ
４０１  コードワード生成部
４０２  下りリンクサブフレーム生成部
４０３  物理下りリンク制御チャネル生成部
４０４  ＯＦＤＭ信号送信部
４０５、５０９  送信アンテナ
４０６、５０１  受信アンテナ
４０７  ＳＣ−ＦＤＭＡ信号受信部
４０８  上りリンクサブフレーム処理部
４０９、５０６  上位層
５０２  ＯＦＤＭ信号受信部
５０３  下りリンクサブフレーム処理部
５０４  物理下りリンク制御チャネル抽出部
５０５  コードワード抽出部
５０７  上りリンクサブフレーム生成部
５０８  ＳＣ−ＦＤＭＡ信号送信部
１８０１  基地局
１８０２  端末
１８０３  物理下りリンク制御チャネル
１８０４  下りリンク送信データ
【図１】
0005994967.tif 000002
【図２】
0005994967.tif 000003
【図３】
0005994967.tif 000004
【図４】
0005994967.tif 000005
【図５】
0005994967.tif 000006
【図６】
0005994967.tif 000007
【図７】
0005994967.tif 000008
【図８】
0005994967.tif 000009
【図９】
0005994967.tif 000010
【図１０】
0005994967.tif 000011
【図１１】
0005994967.tif 000012
【図１２】
0005994967.tif 000013
【図１３】
0005994967.tif 000014
【図１４】
0005994967.tif 000015
【図１５】
0005994967.tif 000016
【図１６】
0005994967.tif 000017
【図１７】
0005994967.tif 000018
【図１８】
0005994967.tif 000019